(57)【特許請求の範囲】
【請求項１】
Ｘ軸／Ｙ軸方向にそれぞれ延びる、複数の、互いに並列して置かれた、励起コイル兼位置検出アンテナであるコイルを有する位置検出マット上で、インダクタとキャパシタを有するＬＣ共振回路である電磁共鳴体（２４）を付加したヘッド（２１）を有するパター（２）を用いてストロークすることにより生じる励起コイルと電磁共鳴体間、及び、電磁共鳴体と位置検出アンテナ間の電磁誘導作用により位置検出アンテナに発生する信号を検出し、パッティングストロークの解析をする装置であって、前記電磁共鳴体を前記ヘッドのトウ側（プレーヤーから見てヘッドの先端側）に１個、前記ヘッドのヒール側（同  手前側）に１個、計２個を付加したパター（２）を用い、それぞれの電磁共鳴体（２４ａ、２４ｂ）が関与する電磁誘導作用により位置検出アンテナに発生する信号を別々に検出するために、ストロークにより前記ヘッドが移動する線を挟んで、独立した２組の前記位置検出マット（３ａ、３ｂ）を隣接して設けて、それぞれの電磁共鳴体（２４ａ、２４ｂ）が関与する電磁誘導作用により位置検出アンテナに発生する信号を別々に検出するパッティングストロークの解析をする装置。
【請求項２】
Ｘ軸／Ｙ軸方向にそれぞれ延びる、複数の、互いに並列して置かれた、励起コイル兼位置検出アンテナであるコイルを有する位置検出マット上で、インダクタとキャパシタを有するＬＣ共振回路である電磁共鳴体（２４）を付加したヘッド（２１）を有するパター（２）を用いてストロークすることにより生じる励起コイルと電磁共鳴体間、及び、電磁共鳴体と位置検出アンテナ間の電磁誘導作用により位置検出アンテナに発生する信号を検出し、パッティングストロークの解析をする装置であって、前記電磁共鳴体を前記ヘッドのトウ側（プレーヤーから見てヘッドの先端側）に１個、前記ヘッドのヒール側（同  手前側）に１個、計２個を付加したパター（２）を用い、それぞれの電磁共鳴体（２４ａ、２４ｂ）が関与する電磁誘導作用により位置検出アンテナに発生する信号を別々に検出するために、１組の前記位置検出マットを用い、その励起コイル及び位置検出アンテナの作動を、ストロークによりヘッドが移動する線の手前側と向こう側に分けて行なわせることにより、それぞれの電磁共鳴体が関与する電磁誘導作用により位置検出アンテナに発生する信号を別々に検出するパッティングストロークの解析をする装置。
【請求項３】
請求項１又は請求項２に記載の電磁共鳴体をヘッドに付加したパター。
【請求項４】
前記電磁共鳴体を取り外し可能にした請求項３記載のパター。
【発明の詳細な説明】
【技術分野】
この発明は、ゴルフのパッティングストロークを解析することによりゴルフ・プレーヤーが自らのパッティング技術の向上を図り、あるいは、その向上のための指導をするのに寄与すると共に、そのプレーヤーに最適なパターの選択を助ける装置、および、それに用いるパターに関する。
【背景技術】
ゴルフにおいてパッティングはそのスコアを大きく左右するものとして  特に上級者において重要視されてきたが、手軽に練習できる場所も少なく、たとえ  練習する場所があったとしてもその微妙なストロークを客観的に解析・評価する手段がなかったので、パッティング技術の向上のためには時間と体力を費やした反復練習しか手段がなかった。一方、その向上のための指導をする場合も  客観性のあるデータの基づいて適切な助言をするのが難しかった。
また、本発明の発明者の一人は全日本ゴルフ練習場公認のレッスンプロであるが、その一方では個々のプレーヤーに合わせたパター作りを営んでいて、トーナメントプロの多くに  その体型、その要求、本人が持っているイメージ等に合わせて形状、重さ、長さ、ライ角（地面とシャフトの傾き）、ロフト角（パターソール面とフェース面の傾き）、グース角度（打面とシャフトの出っ張り具合）、パター表面の風合い、エイミングライン（パターヘッド上に付けた狙い方向を示す線）等各種要素がそれぞれ異なる手作りパターを提供してきた。
この場合にも、実際にパターを持ってストロークする注文主のストロークを客観性を持って的確に解析・評価する手段がないために、折角  個々のプレーヤーに合わせて提供したパターであっても、決定的によい結果に繋がるとは限らなかった。
従来  パッティングストロークの善し悪しを判断する手段としては、ゴルフ場のグリーンの上や人工芝でできた練習用マットの上で実際にボールを打ってみて、そのボールがどう転がっていくか結果を見て判断するのが最も一般的であった。
最近では、打ったボールの転がりを最後まで見なくても練習ができるように、すなわち、狭い場所でも練習ができるように、光センサを活用して  実開平０６−８１５６７号のように２点間を通過するボールの動きをとらえて転がり距離を推定したり、特開２０００−１０２６３３号のように距離に加えて転がり方向をも推測する練習装置の発明が開示されている。
これらも、打ったボールの動きを見てパッティングの良否を判断していることに変わりはなく、そこに現れたボールの動きをもたらしたパッティングストロークそのものを評価するものではなかった。
また、市場には  株式会社ミヤマエ（東大阪市）の「パッティングチェッカー」や有限会社ソードテクニカ（川崎市）の「パッティングマシーン」のように光センサ等を利用してパターヘッドの動きを計測してパッティングストロークの評価をする練習装置が出ている。
前者は、練習用マットを横切るように数個の光センサを並べたものを１組とし、これをストロークの方向に数組並べて配置し、その上でストロークされたパターヘッドからの反射光を検知して、各センサの反射光の検知の有無と反射光が検出された時間差から  ヘッドの軌跡、打面であるフェース面のエイミング（狙い）方向に対する傾き、ヘッドスピード等を解析・表示している。
後者は、フェース面で反射されたレーザ光を光センサでとらえてフェース面のエイミング方向に対する傾きを、その上でパターをストロークする練習用マットに設けられた数組の磁気センサでヘッドの動きを把握し、ヘッドスピード等を解析・表示している。
これらはいずれも、限られた数のセンサからの情報を入力として計算機で解析して  その結果を表示するものであるから、入力情報に連続性が無く、精度的にも限界があるので、パターヘッドの動きは大まかにしか把握できなかった。
また、入力される情報が限られているので、それらを解析した結果として表示できる情報の種類や、その情報の表示できるストローク中のタイミングも限られていた。例えば、フェース面の向きを表示するにしても、エイミング時の向き、あるいは、インパクト時の向きといった、あらかじめ定められた限定されたタイミングでしか表示できなかった。
プレーヤーが自ら自分のパッティングストロークを把握して、必要に応じてそれを矯正することによりパッティング技術の向上を図りカップイン確率を大きく高めるためには、パッティングストローク、すなわち、ストローク始動時にプレーヤーが決定するエイミングから始まり、ストローク前期であるテークアウェイストローク、ボールを打つためのフォワードストローク、インパクト、インパクト後のフォロースルーストロークに至るストローク中の、フェースの向き、ヘッドの軌跡（インパクト時のヘッドの芯（スイートスポット）と打点のトウ（プレーヤから見て先端側）／ヒール（同  手前側）方向のずれを含む）、及び、ヘッドスピードを、連続的に、かつ、十分な精度を持って計測し、それを解析・評価した上で、結果を表示してくれる装置があれば極めて有効である。
また、このような装置を用いて、連続的、かつ、十分な精度を持ったパッティングストロークの解析・評価結果を示すことができれば、パッティング技術向上のための指導において、客観性のあるデータを基に適切な助言をすることができる。
さらに、ゴルフショップにこのような装置があれば、顧客は買い求めようとするパターを持って、この装置を使ってストロークすることにより、そのパターを使用したときの自分のストロークを、簡単に、かつ、客観的に評価することができるので、自分に最適なパターを選定するのに大きな助けとなる。
【発明の開示】
【発明が解決しようとする課題】
本発明は、このパッティングストローク中のパターヘッドの動き表す情報を連続して捉えてそれを解析することにより、使用する人のニーズに合わせて、ストローク中の任意のタイミングにおける、フェースの向き、ヘッドの軌跡、ヘッドスピード等、多くの種類の情報を十分な精度を持って解析・評価できる手段を提供することを課題とする。
【課題を解決するための手段】
本発明は、電磁誘導作用を利用した位置検出方法を利用してパッティングストローク中のパターヘッドの動きを連続的、かつ、十分な精度を持って解析するものである。
まず、電磁誘導作用を利用した位置検出方法について概説する。
第８図に示すように位置検出マットにはＸ軸方向に延びる複数のコイルＸ１、Ｘ２、Ｘ３・・・、Ｘｎが互いに並列して平面的に配置され、Ｙ軸方向にも同様にコイルＹ１、Ｙ２、Ｙ３、・・・Ｙｍが配置されている。これらのコイルには順番に  励起・検出機構３５から一定の周波数の信号が送り込まれる。
一方、位置を検出されるべき側、本件の場合にはパターのヘッド（図には表示されていない）に、その周波数に共振するように選定されたインダクタンスとキャパシタンスを組み合わせたＬＣ共振回路である電磁共鳴体２４が、そのインダクターの面をマットの面とほぼ平行になるように取付けられている。
例えば、励起・検出機構３５からコイルＸ２に信号が送り込まれると、コイルＸ２にはその周波数に応じて強さが変化する磁力線が発生し、その磁力線のうちの一部が電磁共鳴体２４のインダクタを通過する。通過する磁力線も周波数に応じて強さが変化するから電磁誘導に関するファラデーの法則に従い電磁共鳴体２４には同じ周波数の電流が流れる。コイルＸ２はここでは励起コイルとして機能している。
電磁共鳴体２４に流れる電流は、電磁共鳴体がコイルＸ２に近ければ大きく、コイルＸ２から離れれば急速に小さくなる。平面的に置かれたコイルＸ２から発生する磁力線はほぼ垂直方向を向くから、コイルＸ２の上から電磁共鳴体の位置がずれると、発生した磁力線が電磁共鳴体のインダクタの中をほとんど通らなくなるからである。
電磁共鳴体２４の中に電磁誘導により電流が流れると、その電流も  また磁力線を発生する。この磁力線の強さも電磁共鳴体を流れる電流と同じ周波数で変化している。この強さが変化する磁力線は位置検出マットに配置されたコイルの中を通過するから、ここでもファラデーの法則に従いコイルには同じ周波数の電流が流れる。
位置検出マット上に配置されたコイルは、励起コイルであると同時に位置検出アンテナとしても機能する。すなわち、上記電磁共鳴体２４を流れる電流でコイルＹ１、Ｙ２、Ｙ３、・・・Ｙｍに電磁誘導により発生した電流を信号として順番に励起・検出機構３５において測定する。ここでも同様に、コイルＹ１、Ｙ２、Ｙ３、・・・Ｙｍに励起される信号は、電磁共鳴体２４がそのコイルに近ければ大きく、そのコイルから離れれば急速に小さくなる。平面的に置かれた電磁共鳴体のインダクタから発生する磁力線はほぼ垂直方向を向くから、コイルの上から電磁共鳴体の位置がずれると、電磁共鳴体で発生した磁力線がそのコイルの中をほとんど通らなくなるからである。
この励起操作をＸ１、Ｘ２、Ｘ３、・・・と順次繰返し、そのたびに検出操作をＹ１、Ｙ２、Ｙ３、・・・と順次繰返し、また  さらに、励起操作をＹ１、Ｙ２、Ｙ３、・・・と順次繰返し、そのたびに検出操作をＸ１、Ｘ２、Ｘ３、・・・と順次繰り返す。
検出された信号の強さＳは、第９図（ａ）に示すように  電磁共鳴体の最も近い位置検出アンテナＸａで最大のＳａを示し、Ｘａ＋１、Ｘａ＋２、・・、あるいは、Ｘａ−１、Ｘａ−２、・・・と電磁共鳴体から遠くなるほど、検出された信号の強さはＳａ＋１、Ｓａ＋２、・・・、あるいは、Ｓａ−１、Ｓａ−２、・・・と小さくなる。これらの計測点を通る曲線Ｃｘを求めて、信号の強さＳが極大値Ｓｘｍをとる点Ｘｍを求めれば、そこが電磁共鳴体の存在する場所である。
同様に第９図（ｂ）に示すように、曲線ＣｙのＳが極大値Ｓｙｍをとる点Ｙｍを求めればよい。
このようにして、電磁共鳴体が存在するＸーＹ座標が、容易に求められる。
そこで、本発明は、Ｘ軸／Ｙ軸方向にそれぞれ延びる、複数の、互いに並列して置かれた、励起コイル兼位置検出アンテナであるコイルを有する位置検出マット上で、インダクタンスとキャパシタンスを有するＬＣ共振回路である電磁共鳴体を付加したヘッドを有するパターを用いてストロークすることにより生じる励起コイルと電磁共鳴体間、及び、電磁共鳴体と位置検出アンテナ間の電磁誘導作用により位置検出アンテナに発生する信号を検出し、パッティングストロークの解析をする装置である。
パターヘッドの一部に電磁共鳴体を付加し、そのパターを用いて励磁コイル兼位置検出アンテナであるコイルを配置した位置検出マットの上でストロークする。
位置検出マット上にはゴルフボールを置く必要は必ずしも無く、ボールのあるべき位置を示すマークがあればよい。また、目標となるべきカップ位置の方向を示す手段が必要であろう。
位置検出マット上のマークをゴルフボールと見なして、目標となるカップ位置に向かってストロークすると、上述の電磁誘導作用を利用した位置検出方法により、パターに付加された電磁共鳴体の存在するＸ−Ｙ座標を瞬時に、かつ、連続的に計測することができる。
計測された時間毎のＸ−Ｙ座標を解析し、数値や画像を持って表示することにより、ストローク中のパターヘッドの軌跡やヘッドスピード、さらには、インパクト時のヘッドのスイートスポットと打点とのトウ／ヒール方向のずれ、インパクト時のヘッドスピードから推算される転がり距離等、パッティング技術の向上を目指すプレーヤーや、その向上のための指導をするトレーナに有益な情報とを十分な精度を持って瞬時に与えてくれる。必要に応じて、それら情報に基づくに基づくそのパッティングストロークの評価を示すこともできる。これらの情報が瞬時に得られると言うことは、自分に最適なパターを選択する際にも極めて有効であることは、上述した通りである。
電磁誘導作用による位置検出方法を用いることにより、パッティングストローク中のパターヘッドの動きを示す情報を連続して捉えることができるので、上記の情報に限らず、使用する人のニーズに合わせて、パッティングストローク中のヘッドの動きを示す多くの種類の情報を、それも、ストローク中の任意のタイミングにおける値を、解析処理の方法を工夫することにより提供することができる。
なお、Ｘ軸／Ｙ軸方向にそれぞれ延びる電線を互いに５ｍｍ間隔で配置し、第８図に示すように結線して励起コイル兼位置検出アンテナを構成させたマットを用いて行なった実験によれば、０．１ｍｍ以下の精度で電磁共鳴体の位置を検出することは容易であった。  また、その位置検出は瞬時に行えるのでパッティング中のヘッドの動きを連続性を持って把握するのに十分な検出速度を有していた。
さらに、マットから電磁共鳴体が２０から３０ｍｍ上方に離れていても、その位置の検出に不都合はなかったので、ごく普通にマットの上でパターを持ってストロークした場合に、そのパターヘッドに付加された電磁共鳴体の位置検出は十分に可能である。
また、そこで用いる電磁共鳴体は、直径が８ｍｍ、高さが１５ｍｍ以下の円柱形に構成することもできるので、パターヘッドに取付け可能な大きさであり、一般のパターヘッドに取付けてもパッティングストロークへの大きな障害とはならない。
本発明では上記の装置を用いるに当たり、前記電磁共鳴体をヘッドのトウ側（プレーヤーから見てヘッドの先端側）に１個、ヘッドのヒール側（同  手前側）に１個、計２個を付加したパターを用い、それぞれの電磁共鳴体が関与する電磁誘導作用により位置検出アンテナに発生する信号を別々に検出し、パッティングストロークの解析をする。
ヘッドに取付けられた２個の電磁共鳴体の時間毎のＸ−Ｙ座標を別々に計測し、解析をすることにより、ヘッド全体の位置だけでなく、そのヘッドのフェース面のエイミング方向に対する傾き（インパクト時のフェース面の傾きを含む）も時間的に連続して、かつ、十分な精度を持って解析することができる。もちろん、使用者のニーズに応じて、エイミング時やインパクト時に限らず、ストローク中の任意のタイミングにおけるフェース面の傾きを表示することも容易である。
これらもまた、パッティング技術の向上を目指すプレーヤや、その向上のための指導をするトレーナにきわめて有益な情報となる。また、方向を示すためにパターヘッドの上面に刻まれたエイミングラインとそのパターを持ったプレーヤー自身の感覚と差も明瞭になり、自分に最適なパターを選択する際にも極めて有効な助けになる。
そして、本発明は、このようにヘッドのトウ側とヒール側にそれぞれ１個の電磁共鳴体を付加したパターを用いるに当たり、それぞれの電磁共鳴体が関与する電磁誘導作用により位置検出アンテナに発生する信号を別々に検出するために、ストロークによりヘッドが移動する線を挟んで、独立した２組の位置検出マットを隣接して設けて、それぞれの電磁共鳴体が関与する電磁誘導作用により位置検出アンテナに発生する信号を別々に検出することを特徴とする。
前述したように、電磁誘導作用を利用した位置検出方法では、励起コイルと電磁共鳴体間、及び、電磁共鳴体と位置検出アンテナ間の電磁誘導作用により位置検出アンテナに発生する信号を検出してその電磁共鳴体のＸ−Ｙ座標を計測する。したがって、近傍に同じ周波数に共振する電磁共鳴体が２個ある場合には、それぞれの電磁共鳴体が関与する信号を加算した形で計測することになり、正確なＸ−Ｙ座標をとらえられないことがある。
励起コイル及び電磁共鳴体から発生する磁力線はほぼ垂直方向を向くことから、２個の電磁共鳴体がある程度離れていれば実害は少ない。しかし、パターヘッドの構造から近接して２個の電磁共鳴体を取付けることもあろう。
そのような場合に、他の電磁共鳴体が存在することによる計測上の外乱を避けるためには、ストロークによりヘッドが移動する線を挟んで、プレーヤーから見て向こう側とこちら側に独立した２組の前記位置検出マットを隣接して設けて、それぞれの電磁共鳴体が関与する電磁誘導作用により位置検出アンテナに発生する信号を別々に検出すればよい。
フェース面のエイミング方向に対する傾きを捉えるためには、自ずと２個の電磁共鳴体をヘッドのトウ側とヒール側にある程度離して配置するから、トウ側の電磁共鳴体をストロークする線の向こう側の位置検出マットで、ヒール側の電磁共鳴体をストロークする線のこちら側の位置検出マットで計測する。
なお、ストロークによりヘッドが移動する線を挟んで独立した２組の位置検出マットを設けるのに替えて、位置検出マットは１組のみ用い、その励起コイル及び位置検出アンテナの作動を、ストロークによりヘッドが移動する線の手前側と向こう側に分けて行なわせることにより、同じ効果を与えることができる。
すなわち、ストロークする線に平行しては位置される励起コイル兼位置検出アンテナを、ストロークによりヘッドが移動する線の向こう側とこちら側の２組のグループに分けて、一方のグループが励起しているときには他のグループは励起をしない、あるいは、一方のグループが検出しているときには、他のグループは検出しないように励起・検出機構で制御すれば、前述の２組の位置検出マットを用いたのと同じ効果を得られる。
いずれの方法を用いても、他の電磁共鳴体が存在することによる計測上の外乱を避けることができ、２個の電磁共鳴体のＸ−Ｙ座標を十分な精度を持って計測することができるので、正確なパッティングストロークの解析ができる。
また、本発明は、上述のパッティングストローク解析装置と組み合わせて用いられる電磁共鳴体をヘッドに付加したパターである。電磁共鳴体をヘッドに付加したパターを用いることにより、上述のパッティングストローク解析装置が機能するからである。
そのパターは、付加された電磁共鳴体を必要に応じ取り外し可能にしておけば、さらに望ましい。
ゴルフコースにおいては、ヘッドに付加された電磁共鳴体はプレーに何ら作用を及ぼさないが、必要に応じ取り外し可能にしておけば、プレーをする本人に電磁共鳴体が存在することによる違和感を抱かせたり、あるいは、第三者からその存在が何らかの作用をプレーに及ぼすのではないかとと疑念を抱かれるのを避けることができる。
【発明を実施するための最良の形態】
本発明をより容易に理解できるように、添付の図面に従ってこれを説明する。
第１図は、本発明にかかるパッティングストローク解析装置の好ましい全体の構成を示している。プレーヤー１は電磁共鳴体をヘッドに付加したパター２を持って、励起コイル兼位置検出アンテナであるコイルを有する２組の位置検出マット３ａ、３ｂを搭載した練習用マット３の上でアドレスの姿勢を取っている。
練習用マット３には、打つべきボールがある位置を示すマーク３１が書かれており、また、レーザ光線放射機構３２からレーザ光３３を放射して、壁等の対象物に当てて目標になるカップの方向の表示３４ができるようになっている。
位置検出マット３ａ、３ｂには、それぞれに励起・検出機構３５ａ，３５ｂが設けられ、位置検出マットの中の励起コイル兼位置検出アンテナ（本図には表示されていない。第８図のＸ１、Ｘ２、Ｘ３、・・・ＸｎおよびＹ１、Ｙ２、Ｙ３、・・・Ｙｍ相当）に一定周波数の信号を順次送り込み、あるいは、コイルに励起された信号を順次検出している。
検出された信号はデータ記憶手段３６ａ、演算手段３６ｂ、入力手段３６ｃ、および、表示手段３６ｄを有する計算機３６に送られる。
プレーヤー１が手にしているパター２のヘッド２１の部分を拡大して表示したのが第２図である。また、第３図にはヘッド２１の正面図（ａ）と側面図（ｂ）を示している。  ヘッド２１の底面には、そのトウ側に１個、ヒール側に１個、計２個の穴２２ａ、２２ｂを設けて、ここに第４図に示す電磁共鳴体２４がそれぞれ収納できるようになっている。
電磁共鳴体２４の内部には、第４図（ａ）に示すように、一定の周波数に共振するように選定されたインダクタ２５ａとキャパシタ２５ｂからなるＬＣ共振回路が入っている。電磁共鳴体の寸法的制限や共振すべき周波数の関係からインダクタ２５ａの中に磁性体２５ｃを挿入することもある。一般には、こうして組立てられたＬＣ共振回路を樹脂層２５ｄで覆って、その保護と外部からの絶縁を図っている。
第２図に示すヘッド２１のトウ側の孔２２ａには電磁共鳴体２４ａが、ヒール側の孔２２ａには電磁共鳴体２４ｂが挿入され、固定される。
プレーヤー１が、ボールがある位置を示すマーク３１にヘッド２１を合わせてアドレスし、カップ方向の表示３４に向かってエイミングライン２６を合わせて、ストロークにはいる。
そのストロークする線を挟んでプレーヤから見て向こう側に位置検出マット３ａが、また、手前側に位置検出マット３ｂが配置されているから、普通にストロークする限り、電磁共鳴体２４ａが位置検出マット３ａの上から外れたり、電磁共鳴体２４ｂが位置検出マット３ｂの上を外れることはない。
なお、位置検出マット３ａと３ｂを１０ｍｍの間隔をあけて配置した練習マットを用いた実験では、特に他の電磁共鳴体の影響を受けることなく位置検出マット３ａは電磁共鳴体２４ａのＸ−Ｙ座標を、位置検出マット３ｂは電磁共鳴体２４ｂのＸ−Ｙ座標を検出することができた。
励起・検出機構３５ａ，３５ｂから計算機３６に送られた情報は、記憶手段３６ａに記憶され、演算手段３６ｂで処理され、ストローク中のフェース面２７の向き、ヘッドの軌跡、インパクト時のヘッドのスイートスポット２８と実際の打点のトウ／ヒール方向にずれ、ヘッドスピード等  プレーヤーが自らのパッティング技術の向上を図り、あるいは、その向上のための指導をするのに極めて有効な情報、さらには、そのプレーヤーに最適なパターを選択するのに役立つ情報に加工されて、表示手段３６ｄに表示される。
第５図には、表示手段３６ｄの表示の一例（日本語版）を示す。第６図はその英語版を示す。
これらは、そのパッティングストローク全体の「結果」と、エイミング時のフェース面の傾き、スイートスポットと打点のズレ、ダウンストローク時の軌跡（インパクト時の軌跡の方向）、インパクト時のフェース面の向き、及び、スイートスポットと打点とのずれ、インパクト時のヘッドスピード、それらから推定した転り距離、及び、方向を示した例であるが、データ記憶手段３６ａには、各電磁共鳴体２４ａ、２４ｂの時間毎のＸ−Ｙ座標が連続性のあるデータとして蓄えられているから、それを演算手段３６ｂで処理して、これら以外にも多くの有効な情報を表示することができる。又、複数回のストロークの平均的なヘッドの動き、すなわち、そのプレーヤーのストロークの癖を表示することも可能である。
なお、第２図と第３図に示したパターヘッド２１では、エイミングライン２６を挟んで対称の位置に、かつ、フェース面２７と平行に２個の電磁共鳴体２４ａ、２４ｂが設置されている。したがって、この場合にはヘッドのスイートスポット２８は２個の電磁共鳴体から等距離にあり、両電磁共鳴体のストロークラインに直角な方向のずれを検出すれば、インパクト時のヘッドのスイートスポットと実際の打点のトウ／ヒール方向のずれを算出することができ、また、両電磁共鳴体のストロークラインと平行な方向の通過時間の差を検出すれば、ストローク中のフェース面２７の向きを算出することができる。
しかし、パターヘッドの構造上  必ずしもヘッドの エイミングライン２６を挟んで対称の位置に、かつ、フェース面２７と平行に２個の電磁共鳴体２４ａ、２４ｂが設置できるとは限らない。
その場合には、２個の電磁共鳴体２４ａ、２４ｂ位置、スイートスポット２８の位置、および、フェース面２７の向きの関係を、例えば第７図に示すように、電磁共鳴体２４ａとスイートスポット２８の距離Ｌａ、電磁共鳴体２４ｂとスイートスポット２８の距離Ｌｂ、フェース面２７とＬａ方向の間の角度α、及び、Ｌａ方向とＬｂ方向の間の角度βをあらかじめ入力手段３６ｃより入力しておくことにより、計算機３６はヘッドの動きを正しく解析し、表示をすることができる。
なお、この入力手段３６ｃを用いて、目標となるカップまでの距離を入力したり、グリーンの早さを設定したり、ストロークのデータにプレーヤーの名前や日付などの表題を付ける等の作業を行なうことができる。
第４図（ｂ）には、樹脂層２５ｄの外周に雄ネジ部２５ｅを作り、下部、すなわち、ヘッドのそこに当たる部分にねじ回しを挿入できる溝２５ｆを作った電磁共鳴体を示している。パターヘッドに設ける穴２２ａ、２２ｂの内面にこの雄ネジに適合する雌ネジ部を設けておけば、電磁共鳴体をパターヘッドに短時間で容易に、取付け・取り外しすることが可能になる。
ゴルフコースにおいては、ヘッドに付加された電磁共鳴体はプレーに何ら作用を及ぼさないが、このように電磁共鳴体を容易に取り外し可能にしておけば、第三者から「その電磁誘導体が何らかの作用をプレーに及ぼすのではないか。」などと疑念を抱かれ、指摘を受けた場合にも、即座に取り外して対応することができる。また、プレーをする本人がストロークするにあたって電磁誘導体の存在に何となく違和感を抱く場合には、プレーを始める前に取り外しておけばいい。
電磁共鳴体をはずしたあと空洞になる穴２２ａ、２２ｂが気になるのであれば、外側だけ第４図（ｂ）と同形に成型した円柱形の樹脂を挿入しておけばよい。
【産業上の利用可能性】
以上のように、本発明にかかるパッティングストローク解析装置およびそれと組み合わせて用いるパターは、パッティングの練習装置として、その指導のための装置として、さらに、そのプレーヤーに最適なパターを選ぶのを助ける装置として、極めて有効である。
【図面の簡単な説明】
第１図は、本発明にかかる好ましいパッティングストローク解析装置の全体の構成を示している。第２図はそのパターヘッド部分の拡大図、第３図はそのパターヘッドの正面図と側面図である。第４図は、そのパターヘッドに取付けられる電磁共鳴体の構造を示している。
第５図と第６図は、それぞれパッティングストローク解析装置の表示手段の表示の一例である。
第７図は、パターヘッドに取付けた電磁共鳴体とヘッドのスイートスポット及びフェース面との関係を示す説明図であり、第８図と第９図は、電磁誘導作用を利用した位置検出方法の説明図である。
【図１】
0003679407.tif 000002
【図２】
0003679407.tif 000003
【図３】
0003679407.tif 000004
【図４】
0003679407.tif 000005
【図５】
0003679407.tif 000006
【図６】
0003679407.tif 000007
【図７】
0003679407.tif 000008
【図８】
0003679407.tif 000009
【図９】
0003679407.tif 000010